(57)【要約】      （修正有）【課題】ユーザがスライド部を開閉する時のスライダキーの誤操作を防止する。【解決手段】キー押下とキー押下の解放との間で起こる第２ハウジングに対する第１ハウジングの位置の変化があるときにキー押下を無視するスライダ・フォーム・ファクタ・デバイスにおける方法及びスライダ・フォーム・ファクタ・デバイスが開示される。方法は、第１ハウジングのキー押下を検出することと、第２ハウジングに対する第１ハウジングの位置の変化を検出することと、キー押下の解放を検出することとを含む。方法は、キー押下とキー押下の解放との間で起こる第２ハウジングに対する第１ハウジングの位置の変化があるときにキー押下を無視することをさらに含む。【選択図】図１
2008159043.tif 000002
【特許請求の範囲】
【請求項１】
第１ハウジングと第２ハウジングとを有する移動通信デバイスにおける方法であって、第１ハウジングは外面を有するとともに少なくとも一つの入力キーを含み、第１ハウジングは第２ハウジングに対する位置を有するとともに第２ハウジングと一列に並ぶように構成可能であり、第１ハウジングと第２ハウジングとは互いに対して移動可能であり、前記方法は、
第１ハウジングのキーのキー押下を検出することと、
第２ハウジングに対する第１ハウジングの位置の変化を検出することと、
キー押下の解放を検出することと、
キー押下とキー押下の解放との間で起こる第２ハウジングに対する第１ハウジングの位置の変化があるときにキー押下を無視することと、
を備える方法。
【請求項２】
キー押下を無視することは、キー押下の解放を無視することを含む請求項１に記載の方法。
【請求項３】
第２ハウジングに対する第１ハウジングの位置の変化を検出することは、デバイスの作動状態または非作動状態の変化を判定することを含む請求項１に記載の方法。
【請求項４】
第２ハウジングに対する第１ハウジングの位置の変化を検出することは、デバイスのフックスイッチまたはデバイスのスプリングラッチの状態を感知することを含む請求項１に記載の方法。
【請求項５】
少なくとも一つの入力キーはタッチセンサ面である請求項１に記載の方法。
【請求項６】
少なくとも一つの入力キーはナビゲーションキーである請求項１に記載の方法。
【請求項７】
少なくとも一つの入力キーはソフトキーである請求項１に記載の方法。
【請求項８】
第１ハウジングと第２ハウジングとを有する移動通信デバイスにおける方法であって、第１ハウジングは外面を有するとともに少なくとも一つの入力キーを含み、第１ハウジングは第２ハウジングに対する位置を有するとともに第２ハウジングと一列に並ぶように構成可能であり、第１ハウジングと第２ハウジングとは前記移動通信デバイスを作動または非作動とするように互いに対して移動可能であり、前記方法は、
第１ハウジングのキーのキー押下を検出することと、
第２ハウジングに対する第１ハウジングの位置の変化があるか否かを監視することと、
キー押下の解放を検出することと、
キー押下とキー押下の解放との間で起こる第２ハウジングに対する第１ハウジングの位置の変化がないときに、第１ハウジングのキー押下とキー押下の解放とに関する指示を処理することと、
を備える方法。
【請求項９】
第２ハウジングに対する第１ハウジングの位置の変化を監視することは、デバイスの作動状態または非作動状態の変化を判定することを含む請求項８に記載の方法。
【請求項１０】
第２ハウジングに対する第１ハウジングの位置の変化を監視することは、デバイスのフックスイッチまたはデバイスのスプリングラッチの状態を感知することを含む請求項８に記載の方法。
【請求項１１】
少なくとも一つのキーはタッチセンサ面である請求項８に記載の方法。
【請求項１２】
少なくとも一つの入力キーはナビゲーションキーである請求項８に記載の方法。
【請求項１３】
少なくとも一つの入力キーはソフトキーである請求項８に記載の方法。
【請求項１４】
第１ハウジングと第２ハウジングとを有する移動通信デバイスであって、第１ハウジングは外面を有し、第１ハウジングは第２ハウジングに対する位置を有するとともに第２ハウジングと一列に並ぶように構成可能であり、第１ハウジングと第２ハウジングとは互いに対して移動可能であり、前記デバイスは、
指示を処理するように構成された制御装置と、
第１ハウジングの外面上に設けられた少なくとも一つの入力キーであって、該少なくとも一つの入力キーは前記制御装置に接続されることと、
第１ハウジングのキーのキー押下を検出する指示を含むキー押下検出モジュールと、
第２ハウジングに対する第１ハウジングの位置の変化を検出する指示を含む位置変化検出モジュールと、
キー押下の解放を検出する指示を含むキー解放検出モジュールと、
キー押下とキー押下の解放との間で起こる第２ハウジングに対する第１ハウジングの位置の変化があるときに、第１ハウジングのキー押下とキー押下の解放とを無視する指示を含む判定モジュールと、
を備えるデバイス。
【請求項１５】
キー押下とキー押下の解放との間で起こる第２ハウジングに対する第１ハウジングの位置の変化がないときに、第１ハウジングのキー押下とキー押下の解放とに関する指示を処理するように前記判定モジュールはさらに構成される請求項１４に記載の移動通信デバイス。
【請求項１６】
第２ハウジングに対する第１ハウジングの位置の変化は、デバイスの作動状態または非作動状態の変化を含む請求項１４に記載のデバイス。
【請求項１７】
第２ハウジングに対する第１ハウジングの位置の変化は、デバイスのフックスイッチまたはデバイスのスプリングラッチの状態の変化を含む請求項１４に記載のデバイス。
【請求項１８】
少なくとも一つのキーはタッチセンサ面である請求項１４に記載のデバイス。
【請求項１９】
少なくとも一つの入力キーはナビゲーションキーである請求項１４に記載のデバイス。
【請求項２０】
少なくとも一つの入力キーはソフトキーである請求項１４に記載のデバイス。
【発明の詳細な説明】
【技術分野】
【０００１】
本開示は、スライダ・フォーム・ファクタ・デバイスにおいてキー入力を処理するための方法に関し、特に、キー押下とキー押下の解放との間で起こる第２ハウジングに対する第１ハウジングの位置の変化があるときにキー押下を無視することに関する。
【背景技術】
【０００２】
移動通信デバイスは、キャンディ・バー型、回転型、折り畳み型及びスライダ型のような異なったフォーム・ファクタを有する。スライダ・フォーム・ファクタを有する移動通信デバイスにおいて、二つのハウジングはベース・ハウジング及びスライダ・ハウジングと呼ばれる。スライダ・フォーム・ファクタを有する移動通信デバイスにおいて、ユーザ入力のためのキーは両方のハウジングに配置される。ユーザがスライド部を上方（開）または下方（閉）にスライドしている間に誤ってキーを押下し且つその状態を保持し、やがてスライド部が完全に開かれるか閉じられてしまったときにキーの解放が起こる場合がある。そのため、スライダ・フォーム・ファクタにおいては、ユーザがスライド部を開閉しようとしている間にスライダ・キーの誤操作が起こる場合がある。
【０００３】
スライダ・キーの誤操作は異なった状況の下で起こる。一例において、ユーザがスライド部を閉じ下げる過程にある電話を自身のポケットにしまおうとしたとき、ユーザはビデオカメラ用のソフトキーの一つを無意識に作動させる場合がある。カメラが７００ｍＡ−ｈｒのリチウム−イオンバッテリを備えている場合、ビデオカメラの作動は１００ｍＡを越す定電流を引き出し、それによりバッテリは７時間以内に切れる。
【０００４】
一解決策において、製造者はスライド・ロックまたはキーパッド・ロックをソフトウェアに組み込んだ。他の解決策において、製造者はスライダ開放用のスプリング・ラッチを組み込んだ。しかしながら、これらの解決策があっても、スライダ・キー誤操作はなくならない。
【発明の開示】
【０００５】
スライダ・フォーム・ファクタ・エレクトロニック・デバイスにおける誤ったキー押下の解決策は有益である。キー押下とキー押下の解放との間で起こる第２ハウジングに対する第１ハウジングの位置の変化があるときにキー押下を無視する方法及び装置が開示される。方法は、第１ハウジングのキー押下を検出することと、第２ハウジングに対する第１ハウジングの位置の変化を検出することと、キー押下の解放を検出することとを含む。方法は、キー押下とキー押下の解放との間で起こる第２ハウジングに対する第１ハウジングの位置の変化があるときにキー押下を無視することをさらに含む。
【０００６】
本開示は、本発明に基づき様々な実施形態を実現し用いる最良の形態について実施可能なように説明するために提供される。更に、本開示は、本発明を限定するよりもむしろ、本発明の原理及びその優位点に対する理解及び認識を強化するために提示される。本発明の好ましい形態がここで例示及び記述されているが、本発明がそのように制限されないことは明らかである。後述の請求の範囲によって定義された本発明の精神と範囲から逸脱することなく、多数の変更、変形、変化、置換及び等価物を、本開示を享受する当業者は着想するであろう。
【０００７】
更に、関連用語の使用、もしあれば、第１及び第２、上及び下等は、構成要素や動作を、そのような構成要素又は動作間の実際の関係や順番を必ずしも要求したり暗示したりすることなく、あるものを他のものと識別するためだけに用いられることを理解されたい。
【０００８】
多くの本発明による機能及び多くの本発明による原理は、ソフトウェアプログラム又は命令及び特定用途向けＩＣ等の集積回路（ＩＣ）によって又はそれらにおいて最適に実現される。簡潔にするために、また、本発明による原理及び概念が不明瞭になるあらゆるリスクを最小限に抑えるために、もしあれば、そのようなソフトウェア及びＩＣに関する更なる説明は、好適な実施形態内における原理及び概念を基準にした本質的なものに限定する。
【発明を実施するための最良の形態】
【０００９】
図１は、スライダ・フォーム・ファクタを有する移動通信デバイス１０２の実施形態を示す。このような移動通信デバイス１０２は第１ハウジング１０４及び第２ハウジング１０６を有する。この説明の便宜上、ハウジング１０４を第１ハウジングと称するとともにハウジング１０６を第２ハウジングと称する。本説明はハウジング１０４を第１ハウジングと称するが、ハウジング１０６を第１ハウジングと称してもよいことが理解される。さらに、本説明はハウジング１０６を第２ハウジングと称するが、ハウジング１０４を第２ハウジングと称してもよいことが理解される。ハウジング１０４，１０６は各々外面１０８，１１０を有する。
【００１０】
移動通信デバイス１０２はどのような形式の移動通信デバイスでもよい。移動通信デバイス１０２は携帯電話（モバイルフォンともいう）として実施される。移動通信デバイス１０２は、様々なネットワークでの使用のために開発された幅広いデバイスを代表する。このような携帯通信デバイスは、例えば携帯電話、メッセージデバイス、パーソナル・デジタル・アシスタント（ＰＤＡ）、通信モデムを内蔵するノートブックまたはラップトップコンピュータ、移動データ端末、特定用途向けゲームデバイス、無線モデムを内蔵するビデオゲームデバイス等を含む。これら携帯用デバイスのいずれも移動ステーションまたはユーザ装置と呼ばれる。無線通信技術は、例えば音声通信、デジタルデータ転送能力、ＳＭＳメッセージ、インターネットアクセス、マルチメディア・コンテンツ・アクセス及び／またはボイス・オーバー・インターネット・プロトコル（ＶｏＩＰ）を含む。
【００１１】
第１ハウジング１０４は第２ハウジング１０６に対する位置を有するとともに、第２ハウジング１０６と一列に並ぶように構成可能である。矢印１１２は、第１ハウジング１０４と第２ハウジング１０６とが互いに対して移動可能な方向を示す。他のフォーム・ファクタを有する移動通信デバイスと同様に、スライダ・フォーム・ファクタ・デバイスは、第２ハウジング１０６に対する第１ハウジング１０４の位置の変化がデバイス１０２の作動状態または非作動状態の変化を生じさせるように入力信号を受ける。デバイス１０２の状態の変化は、例えば第２ハウジング１０６に対する第１ハウジング１０４の位置の変化によって示されることが理解される。さらに、デバイス１０２の状態の変化は、例えばフックスイッチまたはスプリングラッチ１１３のようなデバイス１０２の留め具または制御機構の状態の変化を含んでもよい。いずれの位置検出機構も第１ハウジング１０４と第２ハウジング１０６との相対位置の変化を検出すればよいことが理解できる。
【００１２】
面１０８，１１０は各々入力キー１１４，１１６を含む。入力キー１１４，１１６は、ナビゲーションキー、ソフトキー及びキーパッドとして示されるが、キー１１４，１１６はどのような形態も採用することができることが理解される。例えば、この説明では、入力キーはタッチセンサ面でもよいことが理解できる。タッチセンサ面は、例えば抵抗性または容量性のものでもよい。キー１１４及び１１６の配置は図示された配置と逆にされてもよいし、キーはどのような入力機能を含んでもよい。
【００１３】
移動通信デバイス１０２は、制御装置１２０、送受信機１２２、メモリ１２４及びモジュール１２６を含むようにさらに示される。モジュール１２６は、例えば第１ハウジング１０４または第２ハウジング１０６のキー押下を検出する指示を含むキー押下検出モジュール１４０を含む。モジュール１２６は、第２ハウジング１０６に対する第１ハウジング１０４の位置の変化を検出する指示を含む位置変化検出モジュール１４２及びキー押下の解放を検出する指示を含むキー解放検出モジュール１４８をさらに含む。さらに、モジュール１２６は、キー押下とキー押下の解放との間で起こる第２ハウジングに対する第１ハウジングの位置の変化があるときに、第１ハウジング１０４または第２ハウジング１０６のキー押下とキー押下の解放とを無視する指示を含む判定モジュール１５０を含む。
【００１４】
モジュールは、ここに説明されるような方法の特定処理を実行する。方法のステップはモジュールを伴うとともに、モジュールはここに記載される方法によって推測し得る。モジュールは、一つまたは複数の予め格納された指示の形態のようなソフトウェア、及び／または以下に記載するような移動ステーションまたは電子デバイスの操作を容易にすることができるハードウェアにおいて実行される。モジュールは、工場でインストールされてもよいし、流通後に例えばオペレーションをダウンロードすることによってインストールされることもできる。モジュールに係るオペレーションは後でさらに詳細に記載する。
【００１５】
制御装置１２０は、モジュール１２６の指示を処理するように構成される。少なくとも一つの入力キー、例えば第１ハウジング１０４の外面１０８上のキー１２８は制御装置１２０に接続され、それにより制御装置はキー入力を処理することができる。キー１２８は例えばソフトキーである。代わりにまたは加えて、少なくとも一つの入力キー、例えば第１ハウジング１０６の外面１１０上のキー１３０が制御装置１２０に接続されてもよい。前記のように、第１ハウジング１０４と第２ハウジング１０６とに関する説明は置き替え可能である。
【００１６】
前記のように、キー押下検出モジュール１４０は、例えば第１ハウジング１０４のキー押下を検出する指示を含む。キー押下及びキー解放は、後に図２及び図３を参照してより詳細に説明される。キー押下は、デバイス１０２の機能を作動させる。例えば、キー１２８は、デバイスのビデオカメラ１３２を作動させるソフトキーである。同様に上記したように、キー解放検出モジュール１４８は、キー押下の解放を検出する指示を含む。
【００１７】
図２は静止位置にあるキー２２８の一実施形態の側面図を例示する。すなわち、キー２２８は、押下前または解放後に面２０８の上にある。キー２２８の静止位置は面２０８に対してどのようなレベルでもよく、図２は例示目的のためのものであることが理解できる。矢印２３４は、キー３２８が押下中にとり得る面２０８に対する方向を示す。
【００１８】
図３は、押下されたときのキー３２８の一実施形態の側面図を例示する。押下されたキー３２８は、面３０８の近くに示される。キー３２８の押下位置は面３０８に対してどのようなレベルでもよく、図３は例示目的のためのものであることが理解できる。矢印３３６は、キー３２８が解放中にとり得る面３０８に対する方向を示す。
【００１９】
ユーザ入力がデバイス１０２上のタッチセンサ面の作動によって受信される一実施形態において、抵抗性または容量性の入力機能はキー押下及び／またはキー解放と等しいと考えられる。タッチセンサ面への入力はこの説明の範囲内であることが理解される。キーがユーザ入力デバイスであるのと同様に、タッチセンサ面もユーザ入力デバイスであることが理解される。
【００２０】
図４は、ここで説明された方法の一実施形態４００のフローチャートである。方法４００は、第１ハウジング１０４または第２ハウジング１０６のキー押下を検出する指示を含むキー押下検出モジュール１４０によって、第１ハウジング１０４（図１参照）のキー押下を検出するステップ４４０を含む。方法は、第２ハウジングに対する第１ハウジングの位置の変化を検出する指示を含む位置変化検出モジュール１４２によって、第２ハウジング１０６に対する第１ハウジング１０４の位置の変化のようにハウジング同士の位置の変化があるか否かを判定するステップ４４２をさらに含む。キー押下２３４とキー押下の解放３３６との間に起こる第２ハウジング１０６に対する第１ハウジング１０４の位置の変化がないとき、制御装置１２０は、第１ハウジング１０４または第２ハウジング１０６のキー押下２３４（図２参照）及びキー押下の解放３３６（図３参照）に関する指示を処理する。第２ハウジング１０６に対する第１ハウジング１０４の位置の変化が検出されない状態で、押下したキーの解放の検出４４４があると、方法はその後キー押下４４０を有効なキー押下４４６であると判断することを含む。
【００２１】
説明したように、方法は、第２ハウジング１０６に対する第１ハウジング１０４の位置の変化を検出する指示を含む位置変化検出モジュール１４２により、第２ハウジング１０６に対する第１ハウジング１０４（図１参照）の位置の変化のようなハウジング同士の位置の変化があるか否かを判定するステップ４４２をさらに含む。押下されたキーの解放の検出４４８がある前に、第２ハウジング１０６に対する第１ハウジング１０４の位置の変化が検出された場合、それは無効なキー押下４５０を示す。すなわち、キー押下の解放３３６（図３参照）を検出する指示を含むキー解放検出モジュール１４８により、方法はその後キー押下４４０を無効なキー押下４５０であると判断することを含む。
【００２２】
キー押下２３４（図２参照）とキー押下の解放３３６（図３参照）との間で起こる第２ハウジング１０６に対する第１ハウジング１０４の位置の変化があるときに、ハウジング１０４及び１０６（図１参照）の相対位置の変化を検出した後にキー押下の解放を検出するステップ４４８は、キー押下を無視する結果をもたらす。キー押下が無効４５０か有効４４６かの判定は、キー押下２３４とキー押下の解放３３６との間で起こる第２ハウジング１０６に対する第１ハウジング１０４の位置の変化があるときに、第１ハウジング１０４または第２ハウジング１０６のキー押下２３４（図２参照）及びキー押下の解放３３６（図３参照）を無視する指示を含む判定モジュール１５０によって行われる。
【００２３】
スライダ・フォーム・ファクタ・エレクトロニック・デバイスにおける誤ったキー押下の解決策は有益である。キー押下とキー押下の解放との間で起こる第２ハウジングに対する第１ハウジングの位置の変化があるときにキー押下を無視する開示された方法及び装置は、無効なキー押下を判定する。方法は、第１ハウジングのキー押下を検出することと、第２ハウジングに対する第１ハウジングの位置の変化を検出することと、キー押下の解放を検出することとを含む。方法は、キー押下とキー押下の解放との間で起こる第２ハウジングに対する第１ハウジングの位置の変化があるときにキー押下は無効であるので、キー押下を無視することをさらに含む。
【００２４】
本開示は、如何にして本技術に基づく様々な実施形態を形成し用いるかについて説明するように意図されており、その真の意図した公正な範囲及び精神を限定するものではない。上記説明は、網羅的であることを意図したものではなく、又は、開示された厳密な形態に限定されるものではない。上述の教示内容に照らして、修正や変更が可能である。実施形態（１つ又は複数）は、説明された技術の原理及びその実用的な用途の最良の例示を提供するために、並びに、当業者が様々な実施形態において、また、考えられる特定の用途に適するような様々な修正により、本技術を利用し得るように選択され、また、説明された。そのような全ての修正や変更は、正当に、合法的に、また公正に権利が与えられる範囲に基づき解釈された場合、本特許出願の係属中に修正される可能性がある添付の請求の範囲によって、また、その全ての等価物によって決定される本発明の範囲内にある。
【図面の簡単な説明】
【００２５】
【図１】スライダ・フォーム・ファクタを有する移動通信デバイスの一実施形態を示す図。
【図２】静止位置にあるキーの一実施形態を例示する側面図。
【図３】押下されたときのキーの一実施形態を例示する側面図。
【図４】ここで説明された方法の一実施形態のフローチャート。
【図１】
2008159043.tif 000003
【図２】
2008159043.tif 000004
【図３】
2008159043.tif 000005
【図４】
2008159043.tif 000006
【外国語明細書】
2008159043.tif 000007
2008159043.tif 000008
2008159043.tif 000009
2008159043.tif 000010
2008159043.tif 000011
2008159043.tif 000012
2008159043.tif 000013
2008159043.tif 000014
2008159043.tif 000015
2008159043.tif 000016
2008159043.tif 000017
2008159043.tif 000018
2008159043.tif 000019
2008159043.tif 000020
2008159043.tif 000021
2008159043.tif 000022